(57)【要約】      （修正有）【課題】布帛等の織物や皮革の代わりとして多用途多品種な縫製品に利用できる新規な編紐地の提供。【解決手段】強度を保つためのフレーム糸を４〜１２本の選択された偶数本を使い、これらに表面に見える緯糸を３〜３３本の選択された奇数本により引き揃えして編んだ編紐を所要長に裁断し、それらを所要本数、直線で対応する側縁を所要巾重合し、該重合部分を縫製し、連結させてなる編紐地。【選択図】図１
2019094582.tif 000002
【特許請求の範囲】
【請求項１】
強度を保つためのフレーム糸を４本以上１２本以下の選択された偶数本を使い、これらに表面に見える緯糸を３本以上３３本以下の選択された奇数本により引き揃えして編んだ編紐を所要長に裁断し、それらを所要本数、直線で対応する側縁を所要巾重合し、該重合部分を縫製し、連結させてなる編紐地。
【請求項２】
前記所定長に裁断された編紐の二体以上を横に並列し、その一方の編紐の一方の側縁に対して他方の編紐体の対応する側縁を直線状で、かつ一方の編紐の上面に所要幅重合させ、その重合部分の中間を連結糸により連結縫製して請求項１の編紐地。
【請求項３】
前記並列する編紐を一体に連結縫製される構成によりなる編紐地の二体、三体が一体に構成されてなる請求項１又は請求項２の編紐地。
【請求項４】
前記一方の編紐の両側縁の表裏に形成される峰面の凸部は、他方の編紐の両側縁の表裏に形成される峰面の凸部の内側に形成される谷面の凹部に接合し、上下に貫通する連結糸により縫製結合してなる請求項１、請求項２又は請求項３の編紐地。
【発明の詳細な説明】
【技術分野】
【０００１】
本発明は、布帛等の織物や皮革の代わりとして多用途多品種な縫製品に利用できる新規な表装資材としての編紐地に関するものである。
【背景技術】
【０００２】
帽子用ブレードは古くから天然草で作られているが、草の特性のから「割れ」「ささくれ」などが有り、手で触れる物には適さないものである。
【０００３】
特許文献１では、所定幅員の１枚生地のブレード帯１を平面で螺旋状に巻回しながらブレード帯１の表裏面に配した上下の縫合糸３で縫合し、クラウン部Ｃ、つば部Ｌを一体状に縫製形成し、つば部Ｌの周縁には、柔軟性のある芯材２を封入してブレード帽子とするものである。
また、この文献では、製法も開示され、布帛を所定幅員の帯状に裁断し、連続させて長尺帯状のブレード帯１を形成し、このブレード帯１を、その一側縁に他側縁を重ね合せるように平面で螺旋状に巻回しながらブレード帯１の表裏面に配した上下の縫合糸３で縫合し、クラウン部Ｃ、つば部Ｌを一体状に縫製するのであり、クラウン部Ｃ、つば部Ｌを一体状に縫製した後に洗浄、乾燥するものである。
【先行技術文献】
【特許文献】
【０００４】
【特許文献１】特開２００５−１８７９９０号公報
【発明の開示】
【発明が解決しようとする課題】
【０００５】
前記特許文献１では、ブレード帯１は、所定幅員の一枚生地を用いるものであるから、色彩溢れる外観を出すこと及び一枚により豊かな触感が発揮させることも困難である。
また、開示される製法は、長尺帯状のブレード帯１により、クラウン部Ｃとつば部Ｌを一体状に縫製し、縫製後に洗浄、乾燥するものであるから、帽子の製造に活用できるが、多用途多品種な縫製品に対応するできないものである。
【０００６】
本特許出願人は、色彩が豊かで多様な外観・視覚的趣味感と、心地良い触感とが得られ、従来の帛織物や皮革の代わり、多用途多品種な縫製品に利用できる表装資材の提供を目的に本発明を案出したものである。
【課題を解決するための手段】
【０００７】
強度を保つためのフレーム糸を４本以上１２本以下の選択された偶数本を使い、これらに表面に見える緯糸を３本以上３３本以下の選択された奇数本により引き揃えして編んだ編紐を所要長に裁断し、それらを所要本数、直線で対応する側縁を所要巾重合し、該重合部分を縫製し、連結させてなる編紐地にある。
【０００８】
前記所定長に裁断された編紐の二体以上を横に並列し、その一方の編紐の一方の側縁に対して他方の編紐体の対応する側縁を直線状で、かつ一方の編紐の上面に所要幅重合させ、その重合部分の中間を連結糸により連結縫製して編紐地としてもよいものである。
【０００９】
前記並列する編紐を一体に連結縫製される構成によりなる編紐地の二体、三体が一体に構成されてなる編紐地としてもよいものである。
【００１０】
前記一方の編紐の両側縁の表裏に形成される峰面の凸部は、他方の編紐の両側縁の表裏に形成される峰面の凸部の内側に形成される谷面の凹部に接合し、上下に貫通する連結糸により縫製結合してなる編紐地としてもよいものである。
【発明の効果】
【００１１】
本発明の編紐地により、ポーチ、財布、ペンケース、アクセサリーなどの小物から、ベルト（時計のベルトなど）の服飾雑貨、そして衣料の部分的な使い方（ポケットやベストの前身頃）から、サンダルやルームシューズ、トレー、タペストリー、グラスカバー、クッションカバーなどの生活雑貨にも活用できるものである。
【００１２】
本発明の編み糸にシルク及びシルク混紡を使用した編紐地は、高級な質感と、独特の滑らかを生かし、革に変わる高級な小物に適している。
【００１３】
本発明の編紐地は、革小物に見劣りしない、カードケース、財布、ペンケースなどの小物から、ネクタイにもちいても、直線縫製を生かした柄が出せることもあり、利用活価値が高い。
【００１４】
本発明の編紐地は、シートを縦目に使う事により強度も上がるので、トートバッグなど、他の天然繊維、獣毛よりも強度が必要な商品にも適している。
【００１５】
本発明の編紐地は、アルバムや手帳の表紙など、紙の代わりとしての用途もある。
【００１６】
本発明の編み糸にウール及びウール混紡を使用した編紐地は、耐久性は劣るが軽さと温かみを生かした小物や服飾雑貨に適している。
【００１７】
本発明の編紐地は、化粧ポーチ、ストール、マフラーなど、冬用のシートの特性を生かした商品が作れる。
【００１８】
本発明の編み糸にモヘア及びモヘア混紡を使用した編紐地は、毛足の長さを視覚と触感に生かした手に触れる物に適している。
【００１９】
本発明の編み糸に合成繊維を使用したブレードシートは天然繊維や獣毛と違い、耐久性を必要とされる縫製品に適している。
【００２０】
本発明の編紐地が編紐を重合とその中間にフレーム糸のポリエステル糸を踏まないように縫製する事によって、伸縮性を具える素材の編紐地とすることができる。
【図面の簡単な説明】
【００２１】
【図１】本発明の編紐地を構成する編紐の実施例１の編み方を示す展開平面図である。
【図２】図１のＸ−Ｘ線で断面した編紐の編み方を示す説明断面図である。
【図３】本発明の編紐地を構成する実施例１の編紐の完成外観平面図である。
【図４】同じく実施例１の編紐の一部を解いて絡み具合とフレーム糸と編み糸の構成を説明する説明外観図である。
【図５】実施例１の編紐の数本が縫製連結されて編紐地が構成されることを示す横断面説明図である。
【図６】図３の実施例１の編紐による編紐地の所要枚が縫製連結されて広幅の編紐地が構成される実施例を示す平面図である。
【図７】本発明の編紐地を構成する編紐の実施例２の編み方を示す展開平面図である。
【発明を実施するための形態】
【００２２】
強度を保つためのフレーム糸を４本以上１２本以下の選択された偶数本を使い、これらに表面に見える緯糸を３本以上３３本以下の選択された奇数本により引き揃えして編んだ編紐を所要長に裁断し、それらを所要本数、直線で対応する側縁を所要巾重合し、該重合部分を縫製し、連結させてなる編紐地。
【実施例】
【００２３】
以下、本発明に係る発明の実施例１及び実施例２について説明する。
【実施例１】
【００２４】
図１〜図５を参照して本発明の実施例１を説明する。図１に示すように、４本のフレーム糸（経糸、以下、経糸は省略。）１ａ、１ｂ、１ｃ、１ｄに対して７本の編み糸（緯糸、以下、緯糸は省略。）２ａ、２ｂ、２ｃ、２ｄ、２ｅ、２ｆ、２ｇを公知のブレート編み機３ａ（詳細は図示しない。）によりフレーム糸１ａ、１ｂ、１ｃ、１ｄ絡ませて、タイトに編み上げ、図３及び図４に示すように、編紐４を構成するものである。
【００２５】
前記フレーム糸１ａ〜１ｄは、強度を得るため太番手の例えばポリエステル糸を使用している。
【００２６】
前記編み糸２ａ〜２ｇは、綿糸、絹糸、毛糸、麻糸等の各種及びそれらと他素材との混紡糸を含めて使用される。
また、前記編み糸２ａ〜２ｇは、同一素材の糸を二本以上の多数本又は多種素材の糸と組み合わせて二本以上の多数本を使用してもよいものである。
【００２７】
前記実施例１では、例えば編み糸２ａは、二本のウール糸、一本のリネン糸から構成している。他の編み糸２ｂ〜２ｇは、この実施例１では、同様の構成で使用されている。
【００２８】
前記編紐４は、所定長に裁断された編紐４ａ〜４ｈの８体を横に並列し、右端の編紐４ａに対して次の左側の編紐４ｂを編紐４ａの対応側縁に対して直線状で、かつその編紐４ａの上面に所要幅重合させ、その中間を連結糸５により両者を一体に連結縫製する。この両者の直線状並置と所要幅重合と連結縫製を繰り返し、編紐４ｈまでを図５に示すように、一体に連結縫製して編紐地６とすることができるものである。
【００２９】
前記編紐４は、フレーム糸１ａ〜１ｄに対して編み糸２ａが周回して外径に絡み付くため、編み糸２ａ〜２ｇの太さだけフレーム糸１ａ〜１ｄの部分が太くなって表裏に峰面４ｂ１を形成するものである。それに対してフレーム糸１ａ〜１ｄの相互間の編み糸２ａ〜２ｇは、緊張されるため引きしめられて一重になって凹陥するので表裏に谷面４ｂ２を形成するものである。
【００３０】
前記編紐５は、フレーム糸１ａ〜１ｄの部分が峰面４ｂ１に、フレーム糸１ａ〜１ｄの間の部分が谷面４ｂ２になる形状の特徴があるから、前記のように編紐４の一方の側縁とこれに対応する他の編紐４の側縁とが上下に重合し、縫製するとき、両端の表裏に形成される峰面４ｂ１の凸部と、その内側に形成される谷面４ｂ２の凹部を接合して重合できるから、結合が自然で一枚もの外観を呈するものである。
【００３１】
前記編紐地６は、図５に示す実施例１のように、前記編紐４ａに対して編紐４ｂを一体に連結縫製する要領で構成した編紐地６の二体、三体を一体に構成し、さらに広幅の編紐地（図示しない。）を能率良く構成することもできるものである。
【実施例２】
【００３２】
次に、図７を参照して本発明の実施例２を説明する。図７に示すように、８本のフレーム糸１１ａ〜１１ｈに対して１５本の編み糸１２ａ〜１２ｏを公知のブレート編み機３ｂ（詳細は図示しない。）によりフレーム糸１１ａ〜１１ｈに絡ませて、タイトに編み上げ、実施例１と同様に編紐７を構成するものである。
【００３３】
前記編紐７は、所定長に裁断された後、実施例１と同様に、対応する側縁を直線状で、かつ重合させ、その中間を連結糸により一体に連結縫製し、所要幅の実施例２の編紐地を構成するものである。
【００３４】
前記実施例２の編紐地は、前記編紐地６と同様に、その二体、三体を一体に構成し、さらに広幅の編紐地（図示しない。）を一層に能率良く構成することもできるものである。
【産業上の利用可能性】
【００３５】
本発明の編紐地は、布帛等の織物や皮革の代わりとして多用途多品種な縫製品に対応出来る新規な編紐地を市場に提供でき、市場の活性化に寄与するものである。
【符号の説明】
【００３６】
１ａ〜１ｄ  フレーム糸
２ａ〜２ｇ  編み糸
３ａ  ブレート編み機
３ｂ  ブレート編み機
４  編紐
４ａ〜４ｈ  編紐
４ｂ１  峰面
４ｂ２  谷面
５  連結糸
６  編紐地
７  編紐
１１ａ〜１１ｈ  フレーム糸
１２ａ〜１２ｏ  編み糸
【図１】
2019094582.tif 000003
【図２】
2019094582.tif 000004
【図３】
2019094582.tif 000005
【図４】
2019094582.tif 000006
【図５】
2019094582.tif 000007
【図６】
2019094582.tif 000008
【図７】
2019094582.tif 000009